(57)【特許請求の範囲】
【請求項１】
弾性体で筒状に形成されて、所定のパネルに設けられた貫通孔と、該貫通孔を通るワイヤーハーネスと、の間に介在するように前記パネルに固定されるグロメットであって、
前記ワイヤーハーネスの出口としての開口から外部へと出ていく前記ワイヤーハーネスを所定方向へと案内して固定するための案内舌片が設けられた環状の案内用補強インナーを、前記開口に取付け可能であり、
前記開口の内縁近傍に、前記開口外へと延出するように形成された弾性舌片を備えており、
前記弾性舌片は、前記案内用補強インナーが前記開口に取り付けられ、該案内用補強インナーの内側を通って延出し、前記案内舌片に沿うように重ねられたときに、前記弾性舌片の先端が前記案内舌片の先端よりも前記開口の内縁寄りに位置する長さに形成されていることを特徴とするグロメット。
【請求項２】
前記案内舌片の前記ワイヤーハーネス側の面における先端近傍には、該面に載せられた該ワイヤーハーネスを前記所定方向へと向かわせる案内突起が突出しており、
前記弾性舌片が、前記案内舌片に沿うように重ねられたときに、前記案内突起と干渉しない長さに形成されていることを特徴とする請求項１に記載のグロメット。
【請求項３】
前記案内用補強インナーが、前記開口を見たときの平面視で、該開口の中心から見た所定の角度範囲内に前記案内舌片が収まるように前記開口にとりつけられるものであり、
前記弾性舌片が、前記開口を見たときの平面視で、該開口の中心と、前記角度範囲の中心とを通る軸上に形成されていることを特徴とする請求項１又は２に記載のグロメット。
【発明の詳細な説明】
【技術分野】
【０００１】
本発明は、弾性体で筒状に形成されて、所定のパネルに設けられた貫通孔と、その貫通孔を通るワイヤーハーネスと、の間に介在してパネルに固定されるグロメットに関する。
【背景技術】
【０００２】
移動体としての車両には、多種多様な電子機器が搭載されている。これらの電子機器は、互いの間で電力や制御信号などを伝えるためにワイヤーハーネスによって接続されている。このようなワイヤーハーネスが車体のパネルを貫通して配索される場合にグロメットが用いられる。グロメットは、弾性体で筒状に形成されて、パネルに設けられた貫通孔と、その貫通孔を通るワイヤーハーネスと、の間に介在してパネルに固定される。ワイヤーハーネスは、硬質なパネルの貫通孔の内周縁からこのグロメットによって保護される。また、グロメットは、このパネルの貫通孔からの水の浸入を防止する防水の役割を果たすこともある。
【０００３】
ここで、ワイヤーハーネスをグロメットに固定するための舌片状の構造が一体的に設けられたグロメットが知られている（例えば、特許文献１又２参照。）。グロメットの内部を通過するワイヤーハーネスが、この舌片状の構造に固定されることとなる。
【先行技術文献】
【特許文献】
【０００４】
【特許文献１】特許第５３５６８４８号公報
【特許文献２】特開２０１１−０６２０７３号公報
【発明の概要】
【発明が解決しようとする課題】
【０００５】
ところで、グロメットと取付対象のパネルとの接合強度や、グロメット自体の強度を高めるために、グロメットを形成する弾性体よりも剛性の高い材料で形成される補強インナーによってグロメットが補強されることがある。そして、この補強インナーに、グロメットから外部へと出ていくワイヤーハーネスを所定方向へと案内する構造が設けられることがある。この案内用の構造にワイヤーハーネスが固定されることで、そのワイヤーハーネスが案内される。
【０００６】
このとき、グロメットにおける上述した舌片状の構造が、グロメットに装着された補強インナーにおける案内用の構造へのワイヤーハーネスの固定の邪魔になることがある。このような場合、グロメットにおける舌片状の構造を切除してから補強インナーをグロメットに装着し、ワイヤーハーネスを補強インナーにおける案内用の構造に固定する、というようにワイヤーハーネスの固定作業が煩雑なものとなる。
【０００７】
本発明の目的は、ワイヤーハーネスの固定作業を容易に行うことができるグロメットを提供することにある。
【課題を解決するための手段】
【０００８】
上記目的を達成するために、本発明のグロメットは、弾性体で筒状に形成されて、所定のパネルに設けられた貫通孔と、該貫通孔を通るワイヤーハーネスと、の間に介在するように前記パネルに固定されるグロメットであって、前記ワイヤーハーネスの出口としての開口から外部へと出ていく前記ワイヤーハーネスを所定方向へと案内して固定するための案内舌片が設けられた環状の案内用補強インナーを、前記開口に取付け可能であり、前記開口の内縁近傍に、前記開口外へと延出するように形成された弾性舌片を備えており、前記弾性舌片は、前記案内用補強インナーが前記開口に取り付けられ、該案内用補強インナーの内側を通って延出し、前記案内舌片に沿うように重ねられたときに、前記弾性舌片の先端が前記案内舌片の先端よりも前記開口の内縁寄りに位置する長さに形成されていることを特徴としている。
【０００９】
本発明のグロメットによれば、このグロメットの弾性舌片が、案内用補強インナーが前記開口に取り付けられたときに、その内側を通って延出するように形成されている。さらに、この弾性舌片は、案内舌片に沿うように重ねられたときに、その先端が、案内舌片の先端よりも前記開口の内縁寄りに位置する長さに形成されている。このため、案内用補強インナーを用いてワイヤーハーネスを固定するに際し、グロメットの弾性舌片を切除しなくてもよく、その分、ワイヤーハーネスの固定作業を容易に行うことができる。また、本発明のグロメットの前記開口には、案内舌片がそもそも設けられていない非案内用補強インナーについては、当然のこととして案内用補強インナーと同様に取り付けることができる。このように、本発明のグロメットは、案内用補強インナーと非案内用補強インナーと、に対し、共通に用いることができるので、コストを削減することもできる。
【００１０】
ここで、本発明のグロメットにおいて、前記案内舌片の前記ワイヤーハーネス側の面における先端近傍には、該面に載せられた該ワイヤーハーネスを前記所定方向へと向かわせる案内突起が突出しており、前記弾性舌片が、前記案内舌片に重ねられた状態で前記案内突起と干渉しない長さに形成されていることは好適である。
【００１１】
案内舌片に案内突起を設けることにより、ワイヤーハーネスが安定して案内されることとなる。そして、上記の好適なグロメットによれば、弾性舌片が、この案内舌片に重ねられた状態で案内突起と干渉しない長さに形成されていることから、弾性舌片の整形作業等が不要となり、ワイヤーハーネスの固定作業を一層容易に行うことができる。
【００１２】
また、本発明のグロメットにおいて、前記案内用補強インナーが、前記開口を見たときの平面視で、該開口の中心から見た所定の角度範囲内に前記案内舌片が収まるように前記開口にとりつけられるものであり、
前記弾性舌片が、前記開口を見たときの平面視で、該開口の中心と、前記角度範囲の中心とを通る軸上に形成されていることも好適である。
【００１３】
案内用補強インナーにおける案内舌片は、ワイヤーハーネスを案内したい方向に応じた種々の位置に設けられる。上記の好適なグロメットによれば、弾性舌片が上記のように開口の中心を通る軸上に形成されていることから、グロメットに装着される案内用補強インナーにおける案内舌片が開口を見たときに中心から左右方向の何れにずれた位置に設けられていたとしても、弾性舌片を案内舌片に重ねることができる。従って、この好適なグロメットによれば、ワイヤーハーネスの固定作業を一層容易に行うことができる。
【発明の効果】
【００１４】
本発明のグロメットによれば、ワイヤーハーネスの固定作業を容易に行うことができる。
【図面の簡単な説明】
【００１５】
【図１】本発明の一実施形態としてのグロメットを示す斜視図である。
【図２】図１においてパネル固定部に取り付けられる前の状態で示されている案内用補強インナーがそのパネル固定部に取り付けられた状態を示す図である。
【図３】パネル固定部に案内用補強インナーが取り付けられた状態のグロメットに、ワイハーネスが通された状態を示す図である。
【図４】グロメットの弾性舌片と案内用補強インナーの案内舌片との位置関係を、図２中のＶ１矢視によって示す図である。
【図５】グロメットの弾性舌片が、ワイヤーハーネスの固定時に、案内用補強インナーの案内舌片に重ねられる様子を示す図である。
【図６】互いに重ねられたグロメットの弾性舌片と案内用補強インナーの案内舌片との、図５中のＶ２−Ｖ２断面を示す図である。
【図７】本実施形態のグロメットにおける、弾性舌片付きのパネル固定部の開口に非案内用補強インナーが取り付けられる様子を示す図である。
【図８】案内舌片が、案内用補強インナーにおいてワイヤーハーネスを所望の方向に案内するべく、その方向に応じた位置に設けられる様子を模式的に示す図である。
【発明を実施するための形態】
【００１６】
本発明の一実施形態のグロメットを、図１〜図８を参照して説明する。
【００１７】
図１は、本発明の一実施形態としてのグロメットを示す斜視図である。本実施形態のグロメット１は、弾性体で筒状に形成されており、屈曲自在の蛇腹筒部１１と、その両端に設けられたパネル固定部１２，１３と、を備えている。パネル固定部１２，１３は、蛇腹筒部１１の長さ方向と交差する方向に開口した、蛇腹筒部１１よりも大径のリング形状を有している。これら両端のパネル固定部１２，１３それぞれが、車両内において対応するパネルＰ１，Ｐ２の貫通孔Ｐ１１，Ｐ２１に固定される。
【００１８】
グロメット１に通されたワイハーネスは、両端のパネル固定部１２，１３それぞれの開口１２１，１３１からグロメット１の外部へと延出する。このように、グロメット１は、パネルＰ１，Ｐ２に設けられた貫通孔Ｐ１１，Ｐ２１と、この貫通孔Ｐ１１，Ｐ２１を通るワイヤーハーネスと、の間に介在するようにパネルＰ１，Ｐ２に固定される。ワイヤーハーネスは、硬質なパネルＰ１，Ｐ２の貫通孔Ｐ１１，Ｐ２１の内周縁からこのグロメット１によって保護される。また、グロメット１は、パネルＰ１，Ｐ２の貫通孔Ｐ１１，Ｐ２１からの水の浸入を防止する防水の役割も果たす。
【００１９】
また、両端のパネル固定部１２，１３それぞれは、グロメット１を形成する弾性体よりも剛性の高い樹脂材料で形成される後述の補強インナーによって補強される。図１では、図中手前側に開口したパネル固定部１２については、補強インナーが取り付けられる前の状態が示され、図中奥側に開口したパネル固定部１３については、補強インナーが取り付けられた状態が示されている。
【００２０】
ここで、本実施形態では、両端のパネル固定部１２，１３の開口１２１，１３１には、補強インナーとして、各々、次のような案内用補強インナー２１と非案内用補強インナー２２とが選択的に取付け可能となっている。案内用補強インナー２１は、パネル固定部１２，１３の開口１２１，１３１から外部へと出ていくワイヤーハーネスを後述の方向へと案内して固定するための案内舌片２１１が設けられた環状の補強インナーである。非案内用補強インナー２２は、このような案内舌片２１１が設けられていない環状の補強インナーである。図１では、図中手前側に開口したパネル固定部１２の開口１２１に案内用補強インナー２１が取り付けられ、図中奥側に開口したパネル固定部１３の開口１３１に非案内用補強インナー２２が取り付けられる。
【００２１】
ここで、本実施形態では、両端のパネル固定部１２，１３のうち、図１において手前側に開口したパネル固定部１２における開口１２１の内縁近傍に、案内用補強インナー２１の内側を通ってその開口１２１外へと延出するように形成された弾性舌片１４が設けられている。弾性舌片１４は、グロメット１の内部を通るワイヤーハーネスを、このグロメット１に、テープ巻き等により固定する役割を担っている。
【００２２】
図２は、図１においてパネル固定部に取り付けられる前の状態で示されている案内用補強インナーがそのパネル固定部に取り付けられた状態を示す図である。また、図３は、パネル固定部に案内用補強インナーが取り付けられた状態のグロメットに、ワイハーネスが通された状態を示す図である。尚、図２及び図３では、図１に示されているパネルＰ１，Ｐ２については図示が省略されている。
【００２３】
図３に示されているように、案内用補強インナー２１には、パネル固定部１２の開口１２１から図中左下方へと向かうハーネス経路方向Ｄ１に延出した案内舌片２１１が設けられている。パネル固定部１２の開口１２１から外部へと出ていくワイヤーハーネス３は、テープ４によって案内舌片２１１に固定される。これにより、ワイヤーハーネス３は、ハーネス経路方向Ｄ１へと案内される。
【００２４】
ここで、グロメット１のパネル固定部１２に設けられた弾性舌片１４と、そのパネル固定部１２に取り付けられた案内用補強インナー２１の案内舌片２１１とは、次のような位置関係にある。
【００２５】
図４は、グロメットの弾性舌片と案内用補強インナーの案内舌片との位置関係を、図２中のＶ１矢視によって示す図である。
【００２６】
この図４に示されているように、グロメット１の弾性舌片１４は、平面視で長円環状の案内用補強インナー２１の内側に位置し、パネル固定部１２に取り付けられた案内用補強インナー２１と干渉しないように形成されている。そして、このグロメット１の弾性舌片１４は、案内用補強インナー２１が取り付けられたときに、パネル固定部１２の開口１２１を見たときの平面視（図２中のＶ１矢視）で、その案内舌片２１１と隣接する位置に設けられている。
【００２７】
また、本実施形態では、グロメット１のパネル固定部１２の開口１２１が、図４に示されている平面視で長円形に形成されており、案内用補強インナー２１も上記のように長円環状に形成されている。そして、グロメット１の弾性舌片１４は、パネル固定部１２の開口１２１を見たときの平面視で、その開口１２１の中心を通る長軸１２１ａ上に形成されている。つまり、グロメット１の弾性舌片１４は、案内用補強インナー２１の中心を通る長軸上に形成されている。他方、案内用補強インナー２１の案内舌片２１１は、ワイヤーハーネス３をハーネス経路方向Ｄ１へと案内する都合上、案内用補強インナー２１の長軸（即ち、グロメット１のパネル固定部１２の開口１２１における長軸１２１ａ）からは、図４中で左方にずれた位置に設けられている。
【００２８】
そして、グロメット１の弾性舌片１４は、案内用補強インナー２１の案内舌片２１１に沿うように重ねられた状態でワイヤーハーネス３とともに案内舌片２１１にテープ４によって固定される。案内舌片２１１は、パネル固定部１２の開口１２１から外部へと出て、この案内舌片２１１に弾性舌片１４とともに固定されたワイヤーハーネス３を、上記のように図４中で左下方へと向かうハーネス経路方向Ｄ１へと案内する。
【００２９】
図５は、グロメットの弾性舌片が、ワイヤーハーネスの固定時に、案内用補強インナーの案内舌片に重ねられる様子を示す図である。また、図６は、互いに重ねられたグロメットの弾性舌片と案内用補強インナーの案内舌片との、図５中のＶ２−Ｖ２断面を示す図である。
【００３０】
図６に示されているように、案内用補強インナー２１の外周面には、鍔部２１２が設けられており、グロメット１のパネル固定部１２の開口１２１の内周面には、案内用補強インナー２１の鍔部２１２が嵌め込まれる嵌込み溝１２２が設けられている。グロメット１の嵌込み溝１２２に案内用補強インナー２１の鍔部２１２が嵌め込まれることで、グロメット１のパネル固定部１２の開口１２１に案内用補強インナー２１が取り付けられる。
【００３１】
尚、弾性舌片１４が設けられたパネル固定部１２とは反対側のパネル固定部１３に取り付けられる非案内用補強インナー２２は、案内舌片２１１が設けられていない点を除いて、案内用補強インナー２１と同等な形状を有している。このため、弾性舌片１４が設けられたパネル固定部１２に、非案内用補強インナー２２を、案内用補強インナー２１と同じように取り付けることも可能となっている。
【００３２】
また、上記の反対側のパネル固定部１３は、弾性舌片１４が設けられていない点を除いて他方のパネル固定部１２と同等な形状を有している。このため、非案内用補強インナー２２は、上記の反対側のパネル固定部１３に、案内用補強インナー２１と同じように取り付けられることとなる。
【００３３】
グロメット１の弾性舌片１４は、図６に示されているようにパネル固定部１２の開口１２１の内周面に設けられた嵌込み溝１２２から、開口１２１の中心寄りに離れた位置に設けられている。従って、グロメット１の弾性舌片１４は、案内用補強インナー２１の鍔部２１２の嵌込み溝１２２への嵌め込みを妨げることがなく、つまり、案内用補強インナー２１のパネル固定部１２への取付けを妨げることがない。また、この弾性舌片１４付きのパネル固定部１２に、非案内用補強インナー２２が取り付けられるとしても、弾性舌片１４が、非案内用補強インナー２２の取付けを妨げることもない。
【００３４】
そして、グロメット１の弾性舌片１４は、案内用補強インナー２１がパネル固定部１２に取付けられる場合には、図５中で左下方へと向かうように曲げられて案内用補強インナー２１の案内舌片２１１に沿うように重ねられる。このとき、グロメット１の弾性舌片１４は、案内舌片２１１に重ねられた状態でワイヤーハーネス３とともに案内舌片２１１に固定可能なように、案内舌片２１１に沿うように重ねられたときに、弾性舌片１４の先端が、案内舌片２１１の先端よりも開口１２１の内縁寄りに位置する長さに形成されている。具体的には、図６を参照して説明する次のような長さに形成されている。
【００３５】
案内用補強インナー２１の案内舌片２１１のワイヤーハーネス３側の面２１１ａにおける先端近傍には、上記の面２１１ａに載せられたワイヤーハーネス３をハーネス経路方向Ｄ１へと向かわせる案内突起２１１ｂが突出している。グロメット１の弾性舌片１４は、図６に示されているように、案内舌片２１１に重ねられた状態で案内突起２１１ｂと干渉しない長さＬ１に形成されている。
【００３６】
以上に説明した本実施形態のグロメット１では、弾性舌片１４は、案内用補強インナー２１が上記の開口１２１に取り付けられた場合に、案内舌片２１１に重ねられた状態で、その先端が、案内舌片２１１の先端よりも開口１２１の内縁寄りに位置する長さＬ１に形成されている。このため、案内用補強インナー２１を用いてワイヤーハーネス３を固定するに際し、グロメット１の弾性舌片１４を切除しなくてもよく、その分、ワイヤーハーネス３の固定作業を容易に行うことができる。
【００３７】
ここで、ワイヤーハーネス３について、上述したようなハーネス経路方向Ｄ１への経路規制の必要がない場合がある。このような場合、図１〜図３において図中奥側に開口したパネル固定部１３に取り付けられる非案内用補強インナー２２が、図中手前側に開口し、弾性舌片１４が設けられたパネル固定部１３にも取り付けられることがある。
【００３８】
図７は、本実施形態のグロメットにおける、弾性舌片付きのパネル固定部の開口に非案内用補強インナーが取り付けられる様子を示す図である。図７（Ａ）には、非案内用補強インナー２２の取付け前の状態が示され、図７（Ｂ）には、非案内用補強インナー２２が取り付けられ、ワイヤーハーネス３が通された状態が示されている。
【００３９】
図７に示されている非案内用補強インナー２２も、案内舌片２１１付きの案内用補強インナー２１と同様に、このパネル固定部１２の開口１２１の内周面に設けられた嵌込み溝１２２（図６）を利用して取付けられることとなる。即ち、非案内用補強インナー２２にも、嵌込み溝１２２に嵌め込まれる鍔部２２１が設けられている。上述したように、グロメット１の弾性舌片１４は、案内舌片２１１付きの案内用補強インナー２１の鍔部２１２の嵌込み溝１２２への嵌め込みを妨げることがない。従って、この非案内用補強インナー２２についても、鍔部２１２の嵌込み溝１２２への嵌め込みを妨げることがない。この非案内用補強インナー２２を取付ける場合には、グロメット１の弾性舌片１４は、ワイヤーハーネス３に沿わせられてテープ４で固定されることとなる。
【００４０】
このように、本実施形態のグロメット１は、案内舌片２１１が設けられていない非案内用補強インナー２２と、案内舌片２１１が設けられている案内用補強インナー２１と、に対し、共通に用いることができる。本実施形態のグロメット１によれば、このような共通使用が可能であるので、コストの削減が可能となっている。
【００４１】
本実施形態では、案内用補強インナー２１の案内舌片２１１に設けられた案内突起２１１ｂによりワイヤーハーネス３を安定して案内することができる。そして、本実施形態のグロメット１が、この案内舌片２１１に重ねられた状態で案内突起２１１ｂと干渉しない長さＬ１に形成されていることから、弾性舌片１４の整形作業等が不要となり、ワイヤーハーネス３の固定作業を一層容易に行うことができる。
【００４２】
ここで、案内用補強インナー２１における案内舌片２１１は、ワイヤーハーネス３を所望の方向に案内するものである。本実施形態では、その方向が、図４に示されているように、図中左下方へと向かうハーネス経路方向Ｄ１となっている。そして、このようなハーネス経路方向Ｄ１にワイヤーハーネス３を案内する都合上、案内舌片２１１は、案内用補強インナー２１の長軸（即ち、グロメット１のパネル固定部１２の開口１２１における長軸１２１ａ）からは、図４中で左方にずれた位置から左下方へと延出するように設けられている。
【００４３】
このとき、図４に示されているハーネス経路方向Ｄ１は一例であって、案内舌片２１１は、案内用補強インナー２１において、ワイヤーハーネス３を所望の方向に案内するべく、その方向に応じた位置に設けられることとなる。
【００４４】
図８は、案内舌片が、案内用補強インナーにおいてワイヤーハーネスを所望の方向に案内するべく、その方向に応じた位置に設けられる様子を模式的に示す図である。この図８に示されているように、案内用補強インナー２１は、グロメット１のパネル固定部１２の開口１２１を見たときの平面視で、その開口１２１の中心ＰＭから見た所定の角度範囲ＤＡ１内に案内舌片２１１が収まるように開口１２１にとりつけられるように構成されている。図８には、角度範囲ＤＡ１内に収まる案内舌片２１１として、図４に示されているハーネス経路方向Ｄ１に応じて、案内用補強インナー２１の長軸（即ち、グロメット１のパネル固定部１２の開口１２１における長軸１２１ａ）からは、図８中で左方にずれた位置から左下方へと延出するように設けられている案内舌片２１１が示されている。さらに、図８には、図８中で右下方向へと向かう別のハーネス経路方向Ｄ２に応じて設けられる案内舌片２１１’が二点鎖線で示されている。この別のハーネス経路方向Ｄ２に応じて設けられる案内舌片２１１’は、案内用補強インナー２１の長軸（即ち、グロメット１のパネル固定部１２の開口１２１における長軸１２１ａ）からは、図８中で右方にずれた位置から右下方へと延出するように設けられている。
【００４５】
ここで、本実施形態のグロメット１では、弾性舌片１４が、パネル固定部１２の開口１２１を見たときの平面視で、長円形の開口１２１の中心ＰＭと、上記の角度範囲ＤＡ１の中心とを通る長軸１２１ａ上に形成されている。このため、グロメット１に装着される案内用補強インナー２１における案内舌片２１１，２１１’が、パネル固定部１２の開口１２１における長軸１２１ａから左右方向の何れにずれた位置に設けられていたとしても、弾性舌片１４を案内舌片２１１，２１１’に重ねることができる。即ち、長軸１２１ａから左方にずれた位置に設けられた案内舌片２１１に対しては、弾性舌片１４が矢印Ｄ３で示されているように左方へと曲げられ、長軸１２１ａから右方にずれた位置に設けられた案内舌片２１１’に対しては、弾性舌片１４が矢印Ｄ４で示されているように右方へと曲げられて、各案内舌片２１１，２１１’に重ねられることとなる。このように、この本実施形態のグロメット１によれば、ワイヤーハーネス３の固定作業を一層容易に行うことができる。
【００４６】
尚、前述した実施形態は本発明の代表的な形態を示したに過ぎず、本発明は、実施形態に限定されるものではない。即ち、本発明の骨子を逸脱しない範囲で種々変形して実施することができる。
【００４７】
例えば、前述した実施形態では、本発明にいうグロメットの一例として、蛇腹筒部１１の両端にパネル固定部１２，１３が設けられたグロメットが例示されている。しかしながら、本発明にいうグロメットは、これに限るものではない。本発明にいうグロメットは、弾性体で筒状に形成されて、ワイヤーハーネスとパネルの貫通孔との間に介在するようにパネルに固定されるグロメットであって、上記の弾性体よりも剛性の高い材料で形成される環状の補強インナーによって補強されるものであれば、その具体的な形状を問うものではない。本発明にいうグロメットは、例えば、蛇腹筒部等は備えず、前述した実施形態における環状のパネル固定部１２に相当する構造のみからなるもの等であってもよい。
【符号の説明】
【００４８】
１    グロメット
３    ワイハーネス
４    テープ
１１  蛇腹筒部
１２，１３  パネル固定部
１４  弾性舌片
２１  案内用補強インナー
２２  非案内用補強インナー
１２１  開口
１２１ａ  長軸
２１１，２１１’  案内舌片
２１１ａ  面
２１１ｂ  案内突起
Ｐ１，Ｐ２    パネル
Ｐ１１，Ｐ２１  貫通孔
Ｄ１  ハーネス経路方向（所定方向）
Ｌ１  長さ
ＰＭ  中心
ＤＡ１  角度範囲
【図１】
0006542620.tif 000002
【図２】
0006542620.tif 000003
【図３】
0006542620.tif 000004
【図４】
0006542620.tif 000005
【図５】
0006542620.tif 000006
【図６】
0006542620.tif 000007
【図７】
0006542620.tif 000008
【図８】
0006542620.tif 000009